(57)【要約】  接合線を有する容器である。その容器は、ポケットを画成する首状部によって画成されたアクセス用の開口部を有する部分的に閉じられた空間を画成する本体を備える。挿入体が首状部に連結される。挿入体は、容器の開口部に嵌合するように構成され、挿入体の外周を画成する外壁を備える。外壁は、上方縁部及び下方縁部を有し、上方縁部は、挿入体が押されて首状部に入り過ぎるか、または首状部を貫通することを防ぐために、径方向外側に延出する環状の唇部を備える。歯部が唇部から延出し、容器の首状部によって画成された切欠部に挿入されるように構成される。立ち上がった注ぎ口が、外壁の内側に配置されている。外壁と注ぎ口との間に通路を形成するために、底壁が外壁の下方縁部と注ぎ口とを連結する。唇部は、第１の半径部を有する第１の部分と、第２の半径部を有する第２の部分とを備え、第１の半径部分は、第２の半径部分よりも大きくなっており、カバーが首状部にねじ込まれると、第１の部分が容器の接合線のところに密封部を形成する。
2007509829.tif 000002
【特許請求の範囲】
【請求項１】
容器に用いる挿入体であって、前記容器は、前記容器の本体の接合線と、前記本体に開口部を画成する首状部と、前記首状部にねじ込み式に係合するように構成されたカバーとを有しており、前記挿入体は、
前記容器の前記開口部内に嵌合するように構成され、前記挿入体の外周を画成する外壁であって、当該外壁が上方縁部及び下方縁部を有し、前記上方縁部が径方向外側に延出する環状の唇部を備えて、前記挿入体が押されて前記首状部内に深く入るか、または前記首状部を貫通することを防止する、外壁と、
前記外壁内に配置される立ち上がった注ぎ口と、
前記外壁と前記注ぎ口との間に通路を形成するために、前記外壁の前記下方縁部と前記注ぎ口とを連結する底壁とを備えており、
前記唇部が第１の半径部を有する第１の部分と、第２の半径部を有する第２の部分とを備えており、前記第１の半径部分が前記第２の半径部分より大きく、前記カバーが前記首状部にねじ込まれたときに、前記第１の部分が前記容器の前記接合線に密封部を形成する、挿入体。
【請求項２】
前記唇部から延出し、前記容器の前記首状部によって画成された切欠部内に挿入されるように構成された歯部を備える、請求項１に記載の挿入体。
【請求項３】
前記歯部が前記挿入体の前記外壁から離隔した距離にある、請求項２に記載の挿入体。
【請求項４】
前記挿入体が直鎖低密度ポリエチレンから構成される、請求項１に記載の挿入体。
【請求項５】
前記カバーが前記首状部にねじ込まれると、前記唇部が前記首状部とガスケット形密封部を形成する、請求項１に記載の挿入体。
【請求項６】
前記通路が穴を備える、請求項１に記載の挿入体。
【請求項７】
前記通路が前記穴に向かって傾斜している、請求項６に記載の挿入体。
【請求項８】
前記注ぎ口が少なくとも１つの直線の上方縁部を備える、請求項１に記載の挿入体。
【請求項９】
容器に用いる挿入体であって、空間を画成する本体と、前記本体に開口部を画成する首状部と、前記首状部にねじ込み式に係合するように構成されたカバーとを有しており、前記挿入体は、
前記容器の前記開口部内に嵌合するように構成され、前記挿入体の外周を画成する外壁であって、当該外壁は上方縁部を備え、当該上方縁部は径方向外側に延出する唇部を含み、前記挿入体が押されて前記首状部及び下側縁部に深く入るか、または前記首状部及び下側縁部を貫通することを防止しており、前記唇部は、歯部及び切欠部のうちの一方を備え、前記首状部に形成された前記切欠部及び前記歯部のうちの一方を係合するように構成される、外壁と、
前記外壁内に配置される立ち上がった注ぎ口と、
前記外壁の前記下方縁部と前記注ぎ口とを連結して、前記外壁と前記注ぎ口との間に通路を形成する底壁とを備えており、前記歯部及び切欠部の組み合わせが、前記開口部内の前記挿入体の回転を防止し、前記挿入体をあらかじめ選択された向きに整合する、挿入体。
【請求項１０】
前記歯部及び切欠部が、前記容器の前記本体と関連して、前記注ぎ口の前記整合の指し示すために配置される、請求項９に記載の挿入体。
【請求項１１】
前記挿入体が直鎖低密度ポリエチレンから構成される、請求項９に記載の挿入体。
【請求項１２】
前記カバーが前記首状部にねじ込まれると、前記唇部が首状部とガスケット形密封部を形成する、請求項９に記載の挿入体。
【請求項１３】
前記唇部が、第１の半径部を有する第１の部分と、第２の半径部を有する第２の部分とを備えており、前記第１の半径部分が前記第２の半径部分よりも大きく、前記カバーが前記首状部にねじ込まれるときに、前記第１の部分が、前記容器の接合線で前記首状部と密封部を形成する、請求項９に記載の挿入体。
【請求項１４】
前記通路が穴を備える、請求項９に記載の挿入体。
【請求項１５】
前記通路が前記穴に向かって傾斜している、請求項１４に記載の挿入体。
【請求項１６】
前記注ぎ口が少なくとも１つの直線の上方縁部を備える、請求項９に記載の挿入体。
【請求項１７】
接合線を有する容器であって、前記容器が、
部分的に閉じられた空間を画成する本体であって、前記空間は首状部によって画成されたアクセス用の開口部を有し、前記首状部は切欠部を画成する、本体と、
前記首状部に連結された挿入体とを備えており、
前記挿入体が、
前記容器の前記開口部内に嵌合するように構成され、前記挿入体の外周を画成する外壁であって、当該外壁が上方縁部及び下方縁部を有し、前記上方縁部が径方向外側に延出する環状の唇部を備えて、前記挿入体が押されて前記首状部に深く入るか、または前記首状部を貫通することを防止する、外壁と、
前記唇部から延出し、前記容器の前記首状部によって画成された前記切欠部内に挿入されるように構成された歯部と、
前記外壁内に配置される立ち上がった注ぎ口と、
前記外壁の前記下方縁部と前記注ぎ口とを連結して、前記外壁と前記注ぎ口との間に通路を形成する、底壁とを備えており、
前記唇部が、第１の半径部を有する第１の部分と、第２の半径部を有する第２の部分とを備えており、前記第１の半径部分が前記第２の半径部分よりも大きく、前記カバーが前記首状部にねじ込まれるときに、前記第１の部分が前記容器の接合線で密封部を形成する容器。
【請求項１８】
前記歯部が前記挿入体の前記外壁から離隔した距離にある、請求項１７に記載の容器。
【請求項１９】
前記挿入体が直鎖低密度ポリエチレンから構成される、請求項１７に記載の容器。
【請求項２０】
前記カバーが前記首状部にねじ込まれるときに、前記唇部が前記首状部とガスケット形密封部を形成する、請求項１７に記載の容器。
【請求項２１】
前記通路が穴を備える、請求項１７に記載の容器。
【請求項２２】
前記通路が前記穴に向かって傾斜している、請求項２１に記載の容器。
【請求項２３】
前記注ぎ口が少なくとも１つの直線の上方縁部を備える、請求項１７に記載の容器。
【請求項２４】
前記容器が塗料を入れるように構成された、請求項１７に記載の容器。
【請求項２５】
容器を整合し密封する方法であって、前記容器が、接合線と、前記容器に開口部を画成する首状部と、前記首状部にねじ込み式に係合するように構成されたカバーとを有しており、前記方法が、
径方向外側に延出する環状の唇部を有する挿入体を提供する工程と、
前記容器の前記開口部に嵌合するように、前記挿入体を構成する工程と、
第１の半径部を有する第１の部分と、第２の半径部を有する第２の部分とを備える前記環状の唇部を構成する工程であって、前記第１の半径部分が前記第２の半径部分よりも大きく、前記カバーが前記首状部にねじ込まれるときに、前記第１の部分が前記容器の前記接合線で密封部を形成する、前記環状の唇部を構成する工程と、
前記環状の唇部に歯部を提供する工程と、
前記首状部に画成された切欠部に挿入されるように、前記歯部を構成する工程であって、前記歯部及び前記切欠部の組み合わせが、前記挿入体の前記第１の部分を前記容器の前記接合線で整合させる、前記歯部を構成する工程とを含む、方法。
【請求項２６】
注ぎ口を画成するように前記挿入体を構成する工程を含む、請求項２５に記載の方法。
【請求項２７】
前記挿入体が直鎖低密度ポリエチレンから構成される、請求項２５に記載の方法。
【請求項２８】
前記容器が塗料を入れるように構成される、請求項２５に記載の方法。
【発明の詳細な説明】
【技術分野】
【０００１】
本発明は一般に容器用の密封システムの分野に関し、より具体的には、注ぎ口を有する容器用の密封システムに関する。
【背景技術】
【０００２】
本出願は、２００３年１０月２８日出願の米国仮特許出願第６０／５１５，１５６号に関連し、それに対して優先権を主張するものであり、その出願はこの参照によって本明細書に組み込まれる。
【０００３】
洗濯用洗剤及び塗料などの粘性の液体用のプラスチック容器がこれまでに開示され、容器の開口部内に配置された、矯正（ｒｅｃｌａｍａｔｉｏｎ）用の注ぎ口を備えている。非円形の容器では、注ぎ口の注ぎ縁部が所望の位置に配置されるように、容器に対して注ぎ口を特定の配置にすることが望ましい。容器に対して注ぎ口を特定の配置にするための数多くの試みが行われてきた。
【０００４】
注ぎ口設置具が「注ぎ口付き瓶」という名称で、Ｓｌｅｄｇｅによる米国特許第４９８４７１４号に開示されている。Ｓｌｅｄｇｅでは、典型的にキャップが首状部及び／または注ぎ口に少なくとも部分的に接触することによって容器と共に密封部を形成する。
【０００５】
「調合用容器及び使用方法」という名称のＨａｆｆｎｅｒによる米国特許第６２０９７６２号では、首状部内に注ぎ口を保持するために、首状部に形成された突出部が注ぎ口に形成された溝部に係合する。
【０００６】
容器の成型過程中に、材料が鋳型の接合線に隣接して堆積する可能性がある。材料の堆積は、容器のキャップが容器の首状部及び注ぎ口取付け部に向かって下方にねじ止めされると密封部が形成されるのを抑制するまたは妨害する。
【特許文献１】米国特許第４９８４７１４号明細書
【特許文献２】米国特許第６２０９７６２号明細書
【発明の開示】
【発明が解決しようとする課題】
【０００７】
容器に対して確実に配置できる注ぎ口及びキャップを備える容器を提供し、また特に容器の接合線付近で液体が漏洩することを防止するために、キャップ、容器、及び注ぎ口間で密封をもたらすことが望ましい。
【課題を解決するための手段】
【０００８】
容器の本体の接合線と、本体に開口部を画成する首状部と、当該首状部にねじ込み式に係合するように構成されたカバーとを有する容器用の挿入体が提供される。挿入体は、容器の開口部内に嵌合するように構成され、挿入体の外周を画成する外壁を備える。外壁が上方縁部及び下方縁部を有し、上方縁部は、挿入体が押されて前記首状部内に入り過ぎるか、または首状部を貫通することを防止するために、径方向外側に延出する環状の唇部を備える。立ち上がった注ぎ口が外壁内に配置される。底壁が、外壁と注ぎ口との間に通路（チャネル）を形成するために、外壁の下方縁部と注ぎ口とを連結する。唇部が第１の半径部を有する第１の部分と、第２の半径部を有する第２の部分とを備え、第１の半径部分が第２の半径部分より大きくなっており、カバーが首状部にねじ込まれると、第１の部分が容器の接合線のところに密封部を形成する。挿入体の別の実施形態では、唇部から延出し、容器の首状部によって画成されたポケット内に挿入されるように構成された歯部を備える。歯部は挿入体の外壁から離隔した距離にあることができる。
【０００９】
接合線を有する容器も提供される。容器は、ポケットを画成する首状部によって画成されたアクセス用の開口部を有する、部分的に閉じられた空間を画成する本体を備える。挿入体が首状部に連結されている。挿入体は、容器の開口部内に嵌合するように構成され、挿入体の外周を画成する外壁を備える。外壁が上方縁部及び下方縁部を有し、上方縁部は、挿入体が押されて首状部に入り過ぎるか、または首状部を貫通することを防止するために、径方向外側に延出する環状の唇部を備える。歯部が唇部から延出し、容器の首状部によって画成されたポケット内に挿入されるように構成される。立ち上がった注ぎ口が外壁の内側に配置される。底壁が、外壁と注ぎ口との間に通路を形成するために、外壁の下方縁部と注ぎ口とを連結する。唇部は、第１の半径部を有する第１の部分と、第２の半径部を有する第２の部分とを備え、第１の半径部分が第２の半径部分よりも大きくなっており、カバーが首状部にねじ込まれると、第１の部分が容器の接合線のところに密封部を形成する。
【００１０】
接合線と、容器の開口部を画成する首状部と、当該首状部にねじ込み式に係合するように構成されたカバーとを有する容器を、整合し密封する方法も提供される。この方法は、径方向外側に延出する環状の唇部を有する挿入体を提供する工程と、挿入体を容器の開口部の内側に嵌合するように構成する工程と、第１の半径部を有する第１の部分、及び第２の半径部を有する第２の部分を備える、環状の唇部を構成する工程であって、第１の半径部分が第２の半径部分よりも大きくなっており、カバーが首状部にねじ込まれると、第１の部分が容器の接合線のところに密封部を形成する工程と、環状の唇部に歯部を提供する工程と、首状部に画成されたポケットに挿入されるように歯部を構成する工程であって、歯部／ポケットの組み合わせが、挿入体の第１の部分を容器の接合線と整合させる工程とを含む。方法の別の実施形態は、注ぎ口を画成するように挿入体を構成する工程を含む。
【００１１】
空間を画成する本体と、当該本体に開口部を画成する首状部と、首状部にねじ込み式に係合するように構成されたカバーとを有する、容器用の挿入体も提供される。この挿入体は、容器の開口部内に嵌合するように構成され、挿入体の外周を画成する外壁を備える。外壁が、挿入体が押されて首状部に深く入るか、または首状部を貫通することを防止するために、上方縁部から径方向外側に延出する唇部を備える上方縁部を有する。挿入体は下方縁部も有する。唇部は、首状部に形成された切欠部及び歯部のうちの一方を係合するように構成された歯部及び切欠部のうちの一方を備える。立ち上がった注ぎ口が、外壁の内側に配置される。外壁と注ぎ口との間に通路を形成するために、底壁が外壁の下方縁部と注ぎ口とを連結し、歯部及び切欠部の組み合わせが開口部内の挿入体の回転を防止し、挿入体をあらかじめ選択された向きに整合する。
【００１２】
容器の開口部内に嵌合するように構成された挿入体が提供され、挿入体が上方縁部を有し、キャップが開口部を閉じるために容器に連結されると、開口部の密封をもたらすように、第１の部分が第２の部分より完全に外側の部分に延出する。
【発明を実施するための最良の形態】
【００１３】
図１及び図２を参照すると、容器１０が、本体１２、キャップ１４、ハンドル１６、及び注ぎ口挿入体１８を備える。本体１２は、全体的にＤ字形状の構成を有し、底部２０、前壁２２、反対側の後壁２４、及び第１及び第２の側面２６、２８を備える。本体１２は、外側ねじ部３４を備える首状部３２を有する上部３０も備える。「前」及び「後」という用語の使用は、容器が小売店の棚に配置できる位置を述べている。容器は小売店の棚に任意の方向に配置できるが、前壁２２は、表示ラベル用の平面を提供する。容器が実際に使用されている間は、注ぎ口１８の配置は正面であると考えることができるが、この説明においては、注ぎ口１８は後壁２４により近くなっている。注ぎ口に関する、２００３年７月２５日に提出された米国特許出願第１０／６２７，２００号に参照がなされ、その出願は、この参照によって本明細書に組み込まれる。
【００１４】
上部３０は、首状部３２に近接した第１のランド部領域３６、第２の傾斜した移行領域３８、及びハンドル１６を支持するように構成された上方領域４０を備える。ランド部領域３６は、図示されたように水平面に平らなまたは平行であり、または別の輪郭を有する。側面２６、２８及び上部３０に隣接して、第１のランド部領域３６より低いところから始まり、移行領域３８及び上方領域４０に向かって上方に傾斜する一対のハンドル支持領域４２がある。１つの実施形態での垂直平面から測定された領域４２は、好ましくは約４５度である。さらに、下記に説明される後部ハンドル支持領域４４は、注ぎ口１８により近い後方の位置でハンドル１６を支持する。垂直平面から測定される後部ハンドル支持領域４４は、好ましくは約６０度である。支持領域４４の角度は、ハンドル１６の寸法と相まって、ハンドル１６が注ぎ口１８または本体１２の後部位置と接触することを防ぎ、その上ハンドル１６を持ち上げるために、キャップ１４の上に間隙をもたらす。したがって、領域４４のその他の角度が使用できる。
【００１５】
本体１２は、実質的に平らな前壁２２を横切り、湾曲した後壁２４の少なくとも一部分の周りに延びる凹領域４６も備える。凹領域４６は、プラスチック成型構成要素用のインモールド・ラベリングなどの成型動作中に貼り付けられる可能性のあるラベルを受ける場合がある。容器が形成された後に、ラベルが容器に貼り付けられる場合もある。
【００１６】
上方の支持領域４０の前縁部４８は、前壁２２への移行部分として湾曲または傾斜を付けられていてもよい。この移行縁部４８は、使用者がハンドル１６の把握を容易にできるようにする表面を提供する。前縁部４８は、使用者が自身の指をハンドルの下に滑り込ませることができるようにする凹領域を有することができるが、ハンドル１６は、縁部４８の凹部に加えて、またはそのような凹部と独立にハンドル凹部５０を備えることもできる。ハンドル１６と上部３０と前壁２２との間の界面の分離により、使用者が容易にハンドル１６を把握し持ち上げることが可能になる。
【００１７】
底凹部５２は、前壁２２と底部２０との間の容器１０の底縁部に配置されている。底凹部５２は、容器１０が支持面上または別の容器１０上に置かれているとき、使用者が容器１０の底部の下に手を届かせることを可能にする。底凹部５２はさらに、容器１０から塗料を注ぐのを容易にする。底凹部５２は、底部２０から容器１０に内側に延びる指用凹部または窪み部（図示せず）に連結されている。指用凹部は、底凹部５２の直近に配置でき、または凹部用通路（図示せず）を備える底凹部５２に連結できる。底凹部５２、凹部用通路、及び指用凹部は、使用者が中身を容器から注ぐのを助けるように使用者の手に無理なく置かれるように構成できる。一方の手がハンドル１６を保持しながら、底凹部５２、指用凹部、及び凹部用通路を共に、またはこれらの特徴の任意の組み合わせを使用することによって他方の手が底部を把持することができる。
【００１８】
容器の支持面から測定され、あるいは底部２０の最低支持形態から測定される底凹部５２の高さは、使用者が自身の指または自身の指の一部分を底凹部、通路用凹部、及び／または指用凹部に挿入できるようにするのに十分である。これは、使用者が、ハンドルと相まって、小売店舗の棚、テーブル、または別の容器などの支持面から容器を容易に持ち上げることができるようにする。
【００１９】
底部２０は、容器１０と同様なものが互いに積み重ねられた場合、キャップ１４の一部分を受けるように構成されるキャップ用凹部（図示せず）を含むこともできる。キャップ用凹部は、キャップ１４に設けられる凹部５９に噛み合うための窪みなどの、キャップ１４の形態に噛み合う形態を有する表面を備えることができる。あるいは、キャップ用凹部は、キャップ１４の外径に噛み合うまたはそれを超える外径を有することができる。容器１０は、任意の公知の手順、たとえばプラスチックからのブロー成型によって製造できる。
【００２０】
図３、図５、図６を参照すると、注ぎ口挿入体１８は、外壁１１０、注ぎ口１１２、及び底壁１１４を備える。外壁１１０は、摺動して首状部３２に入るように構成され、首状部３２内で挿入体１８を保持するための形態（下記に説明される）を備える。１つの実施形態では、外壁１１０は、注ぎ口挿入体１８の外周を画成し、上方縁部１１６及び下方縁部１１８を備える実質的に円筒形の壁である。唇部１２０が、上方縁部１１６から径方向外側に延出し、挿入体１８が押されて首状部３２に入り過ぎるか、または首状部を貫通することを防止する制止部として働く。唇部１２０は、首状部３２の上方縁部３３のところまで延出するが、それを過ぎてまたは超えては延出しない。カバー１４が容器１０の首状部３２にねじ込まれると、首状部３２の上方縁部３３と注ぎ口挿入体１８の唇部１２０との間の接触面は密封部を形成する。径方向外側に延出する突起部１２２は、外壁１１０の外周面の周りに延出し、首状部３２の内側に設けられた対応する溝（図示せず）に係合するように構成されている。突起部１２２及び対応する溝の係合は、容器１０に対して適切な垂直位置に注ぎ口１８を保持する働きをする。
【００２１】
注ぎ口挿入体１８は、たとえば挿入によって、首状部３２に形成される対応するポケットまたは切欠部３５（図３及び図４を参照されたい）に係合するように構成される突起部または歯部２５も備える。歯部２５／切欠部３５の構成は、注ぎ口挿入体１８の回転を防止し、容器１０の中身を注ぐために、注ぎ口挿入体１８と容器１０とを整合させるための指標としても機能する。図２で最も良く分かるように、典型的な整合では、注ぎ口挿入体１８の注ぎ口１１２が、容器１０の後壁２４の中心線と整合する。歯部２５が首状部３２に形成され、切欠部３５が注ぎ口１８に形成されてもよいことを理解すべきである。歯部２５／切欠部３５の構成が首状部３２の外周面に沿った任意の都合のよい位置に配置できることも理解すべきである。歯部２５／切欠部３５の組み合わせは、下記により完全に論じられるように、唇部１２０の延出部分が容器１０の接合線１３と整合するように注ぎ口挿入体１８も整合する。歯部２５は、挿入体１８の外壁１１０から離間した距離で唇部１２０の下側に一体に形成される。容器１０に設置された挿入体１８を使用して、歯部２５は、歯部２５の内面２３と切欠部３５の外壁３７との間に空間を有して切欠部３５に挿入される（図９を参照されたい）。
【００２２】
別の実施形態によれば、外壁は、挿入体が押されて容器の首状部に入り過ぎるのを防ぎ、及び／または挿入体を首状部に保持するその他の特徴を含むことができる。たとえば、挿入体は、それが首状部にねじ込まれる場合に、首状部の内側に設けられたねじ山に係合する外壁上にねじ山を備えることができる。挿入体は、当分野で公知の摩擦型の嵌合い、スピン溶接、接着剤、または任意の多様なその他の技術及び方法を使用して首状部に連結されてもよい。
【００２３】
注ぎ口１１２は、（たとえば注ぎ口１１２が外壁１１０の内側に、及びその外壁から離間して配置されて）挿入体１８の外周面の内側に設けられ、及び一般に、容器１０から中身（たとえば塗料またはその他の液体）の注ぎを容易にするように構成されている。注ぎ口１１２の壁は、直線の上方縁部を有することができ、容器１０の中身が注ぎ口１１２を使用して除去される場合、注ぎ口１１２上に容器１０の中身（たとえば、塗料、ワニス、等の液体被覆材料、水、液体、またはその他の材料）が注がれる。直線の上方縁部は、ブラシから余分な塗料を拭うブラシワイプ（ｂｒｕｓｈ  ｗｉｐｅｓ）としても使用できる。
【００２４】
底壁１１４は、外壁１１０と注ぎ口１１２との間を延び、外壁１１０の下方縁部１１８を連結する働きをする。それによって通路１６２は、外壁１１０、底壁１１４、注ぎ口１１２によって形成され、通路１６２は、外壁１１０と注ぎ口１１２との間の挿入体１８の周りに延在する。穴１６４が、壁１２６の反対側の位置で通路１６２に（部分的に底壁１１４及び部分的に外壁１１０の下方部分に）設けられる。穴１６４は、通路１６２に入る（たとえば塗料などの）材料が穴１６４を通過し、容器１０の本体１２に還流できるように構成される。通路１６２に入る可能性のある物質を穴１６４に向けるために、通路１６２は、穴１６４に向かって傾斜している。通路１６２が穴１６４に向かって傾斜できるようにするために、外壁１１０の下方縁部１１８と、注ぎ口１１２の壁の下方縁部と、底壁１１４とは、同様に、通路１６２が穴１６４に向かって傾斜できるように、必要に応じて傾斜を付けられている。
【００２５】
図１及び図２に示されるように、注ぎ口挿入体１８は好ましくは、壁１２６が本体１２の後壁２４に近接するように（たとえば、壁１２６が注ぎ口１１２の最も後ろの部分になるように）容器１０に連結されている。このような構成では、容器１０の使用者は、ハンドル１６を一方の手で把握し、他方の手で容器１０の底部（より詳細には、底凹部５２、指用凹部、及び／または凹部用通路）を把握し、直線の上方縁部上で注ぎ口１１２から、及び容器１０の後壁２４の上の注ぎ口１１２から塗料（または本体１２内に収容されたその他の材料）を注ぐことができる。容器１０が垂直位置に戻された後に、（注いでいる間、または注ぎ口１１２の直線の縁部の１つに塗装用の刷毛をあてて拭っている間などに）通路１６２に入った可能性のある塗料が穴１６４に向かって流れ、通過して容器１０の本体１２内に戻る。それによって通路１６２は、余分な塗料が容器１０の側面を滴り落ち、それによって容器１０に貼付けられる可能性のあるラベルを読むことができないようにし、また、塗装を意図しない表面に、塗料が付いてしまう可能性を減らす。注ぎ口１１２に設けられた隙間は、通路１６２に入る塗料が通過して本体１２に戻ることを可能にする働きもすることもできる。使用者（ｏｎｅ）が容器１０から直接塗料を使用することを所望する場合、使用者は注ぎ口１１２の壁の間で本体１２に塗装用の刷毛を挿入することによって、自身の塗装用の刷毛に塗料を簡単に塗ることができる。次いで、注ぎ口の直線の上方縁部は余分な塗料をブラシから拭うのに使用できる。塗料を使い終わると、使用者は簡単にキャップ１４を元に戻す。注ぎ口１１２の壁は、首状部３２の上縁部１１６よりも高くすることができ、またはその壁は、首状部１３２の上方縁部１１６より下またはそれと同じ高さとすることができる。
【００２６】
図６〜図１１を参照すると、注ぎ口挿入体１８は、外壁１１０、注ぎ口１１２、及び底壁１１４を備える。外壁１１０は、摺動して首状部３２に入るように構成され、首状部３２内に挿入体１８を保持するような特徴（下記に説明する）を備える。１つの実施形態では、外壁１１０は、注ぎ口挿入体１８の外周を画成し、上方縁部１１６及び下方縁部１１８を備える実質的に円筒形の壁である。唇部１２０は、上方縁部１１６から径方向外側に延出し、挿入体１８が押されて首状部３２に入り過ぎるか、または首状部を貫通することを防止する制止部として働く。唇部１２０は、首状部３２の上方縁部３３のところまで延出するが、それを過ぎて、または超えては延出しない。
【００２７】
注ぎ口挿入体１８の唇部１２０は、第１の半径部を有する第１の部分１４０、及び第２の半径部を有する第２の部分１４２を備える。第１の半径部は、第２の半径部より大きい。図８、図１０、図１１を参照されたい。第１の部分１４０は、容器１０の接合線１３と整合する延長部分である。接合線１３は、容器１０の成型過程中に形成される。材料は、接合線１３に沿って堆積する傾向がある。このような材料の堆積は、容器のキャップ１４が容器１０の首状部３２にねじ込まれるときに、注ぎ口挿入体１８が良好な密封部を形成することを妨害し、あるいは阻止する。首状部３２及び挿入体１８のキャップ１４によって働かされる下方及び側方の力は、唇部１２０を接合線１３付近で内側に移動させる傾向があり、それによって密封部が形成されるのを阻止する隙間または位置合わせ不良を生じる。挿入体１８の延長された唇部、即ち唇部１２０の第１の部分１４０は、挿入体１８とキャップ１４との間に隙間が形成されることを回避する（図１０を参照されたい）。
【００２８】
歯部２５／切欠部３５の組み合わせは、その位置に密封部が形成できるように、唇部１２０の第１の部分１４０が、容器１０の接合線１３と整合するように機能する。接合線１３が容器のどの場所にも形成される可能性があり、したがって、歯部２５／切欠部３５の組み合わせは、唇部１２０の第１の位置１４０と接合線１３との適切な整合を確かにするように配置される必要があることを理解されたい。この出願では、「接合線」という用語は、容器の成型過程中に、典型的には容器を形成するために使用される２等分された鋳型の両方の間の接合線のところに形成される継ぎ目を意味するものとする。
【００２９】
１つの実施形態では、注ぎ口１８は直鎖低密度ポリエチレン（ＬＬＤＰＥ）から構成され、それは、密封部を形成するためにキャップ１４が容器１０にねじ込み式に取り付けられると変形する（図５を参照されたい）。ＬＬＤＰＥは、分子量分布の狭い共重合体であり、それは応力割れに耐性があり、可撓性がある。直鎖低密度ポリエチレンの例は、Ｄｏｗｌｅｘ（商標）２５１７である。別の実施形態では、唇部１２０は、密封部を形成するためにキャップ１４が容器１０にねじ込み式に取り付けられると変形する熱可塑性エラストマーから構成される物質のオーバーモールド部１２３を備える。キャップ１４及び容器１０の材料構成（ｍａｔｅｒｉａｌ  ｃｏｍｐｏｓｉｔｉｏｎ）は、一般に注ぎ口１８の材料構成よりも硬い。このような両実施形態では、容器の上方縁部３３上での材料の圧縮は、容器を密封し、容器１０及びキャップ１４の凹凸（ｉｒｒｅｇｕｌａｒｉｔｉｅｓ）に適合する。
【００３０】
首状部３２の上方縁部３３と注ぎ口挿入体１８の唇部１２０との間の接触面は、カバー１４が容器１０の首状部３２にねじ込まれると密封部を形成する。径方向外側に延出する突起部１２２は、外壁１１０の外周の周りに延出し、首状部３２の内側に備えられた対応する溝（図示されない）に係合するように構成されている。突起部１２２の係合及び対応する溝は、注ぎ口１８を容器１０に対して適切な垂直方向の位置に保持する働きをする。
【００３１】
いくつかの別の実施形態では、注ぎ口挿入体は、異なる複数の構成の任意の１つを取ることができる。たとえば、注ぎ口の任意の１つまたは複数の壁は、それらが上方向に延出するとき、垂直上方に延出してもよく、または注ぎ口の中心に向かってもしくはそこから離れて傾斜してもよい。さらに、壁の上方端部は同じ高さを有していてもよく、またはその端部は異なる高さを有していてもよい。さらに、注ぎ口の任意の１つまたは複数の壁の上方縁部の高さは、壁の長さに沿って変わることができ、または一定であることもできる。たとえば、注ぎ口の１つまたは複数の壁の上方縁部は、水平であり、または増加または減少する高さを有する。壁は、注ぎ口の上方縁部が全体として水平であり、またはその縁部の高さが増加し、及び／または減少するように構成されてもよい。さらに、注ぎ口の壁の高さは、外壁の高さに対してまたは容器の様々な部分の高さに対して変わることができる。したがって、注ぎ口の１つまたは複数の壁の上方縁部は、外壁の上方縁部、容器の首状部の上方縁部、及び／または容器のいくつかの別の形状部分の縁部の上に、下に延出し、または同じ高さであることもできる。
【００３２】
別の実施形態によれば、任意の１つまたは複数の注ぎ口壁の下方縁部は、直線状、湾曲状、弧状、またはいくつかのその他の形状を有することができる。さらに、任意の１つまたは複数の注ぎ口壁の長さは、変更することができる。注ぎ口の全体の寸法及び形状は、同様に変更することができる。たとえば、注ぎ口は、様々な異なる寸法の塗装用の刷毛がそこを通過し、容器の本体に入ることを可能にするように構成できる。別の実施形態によれば、注ぎ口の任意の１つまたは複数の壁の上方縁部は、塗装用の刷毛から過剰な塗料をすきとるように意図された櫛のような形状を有することができる。別の実施形態によれば、注ぎ口挿入体が容器と一体に形成されている。別の実施形態によれば、注ぎ口挿入体は、外壁または通路を備えず、注ぎ口を形成するために共に連結された１つまたは複数の壁から構成されることができる。別の実施形態によれば、注ぎ口挿入体は、通路に設けられた穴、及び注ぎ口に設けられた隙間の１つのみを有することができる。別の実施形態によれば、注ぎ口の１つまたは複数の壁の間の移行部分は、鋭い明確な角であり、それはアール（ｒａｄｉｕｓ）を付けられていてもよく、それは先細にされ、もしくは傾斜を付けられていてもよく、またはそれはいくつかの別の緩やかなまたは急な移行部分を有していてもよい。
【００３３】
別の実施形態によれば、容器はその上側面とは別の側面に開口部を備えていてもよく、またはこのような開口部内に注ぎ口挿入体を備えていてもよい。「上方の」「下方の」「上部の」「底部の」「高さ」及び／または「高さ」への言及は、容器が意図されたように小売店の棚に置かれた場合に現れることになる、注ぎ口（及び容器のその他の部分）のある部分、位置、及び／または寸法を述べていることに留意されたい。しかし、こうした言及は、異なる向きになった注ぎ口挿入体（及び容器のその他の部分）に等しく適用されることを理解されたい。したがって、容器の側面から外に水平に延出する注ぎ口の上方縁部の「高さ」は、容器の上部から垂直に延出する同一の注ぎ口の「高さ」と同じになる。
【００３４】
キャップ１４は、たとえば塗料など、容器に保持される材料のカバー及び皿の両方の働きをする。キャップ１４は、容器１０の注ぎ口挿入体１８と首状部３２の間のキャップの上部から延出する、下方向に延出する壁を備える。キャップ１４は、首状部３２に形成されたねじ山３４にねじ込み式に係合する雌ねじを備えることができる。キャップ１４は、成型されたロゴ、容器１０の内側を見るための透明な窓、または容器内の中身を認識するその他の表示を付けるように構成できる。キャップ１４は、たとえば二個取り（ｔｗｏ−ｓｈｏｔ）成型または、バイインジェクション（ｂｉ−ｉｎｊｅｃｔｉｏｎ）成型を使用した、ゴムをベースとした熱可塑性エラストマー、ポリプロピレン、またはその他のタイプのプラスチックまたはエラストマーなどの２つ以上の材料によって形成できる。キャップ１４は、その外周面に形成された凹部５９に延出する第２の材料の一部分をもたらすように構成することができ、その部分は、使用者が容器１０でまたはそこから離れてキャップ１４を把持し、操作することを助けることができる。種々の生地が成型されて第２の材料になることができ、成型過程中に異なる色の材料が使用できる。
【００３５】
本発明の範囲から逸脱せずに、要素の設計、配置、及び組み合わせにさらなる変更を加えることができる。たとえば、注ぎ口、矯正構造または通路などの上記に述べた１つまたは複数の特徴を含む上部材、及びその他のものが、本体の部材と一体に形成され、または別々の構成要素として容器に取り付けられていてもよい。さらに、容器は使用者が容器の中身を見ることができるようにする移送領域を備えることできる。さらに、キャップ取付け部品は、塗料が誤ってこぼれるのを防止するようにキャップが容器にしっかりと取り付けられたかどうかを示すための透明な領域を備えることができる。容器は塗料の容器として言及されてきたが、その他の液体も同様に収容され注がれることができる。いくつかの特徴が塗料の収容及び適用に対して独特の用途を有するが、その他の特徴も同様にその他の液体に使用できる。さらに、容器に貼り付けられたラベルは、容器内に何色が含まれているか、また白の背景に塗装された場合にどのように見えるかはっきりと示すために、使用者または製造者が容器の中の塗料の試料を軽く付け、または塗装することを可能にする空白の白い部分を備えることができる。明細書に説明され、図に示された特徴は、単独で、または組み合わせてのどちらでも、本明細書中あるいは上記に示した優先的な用途に開示された個別のまたは複数の特徴と結びつけることもできることにも留意されたい。添付の特許請求に記述された本発明の範囲から逸脱せずに、要素の設計、配置、及び組み合わせにこれらのまたはその他の変更を行うことができる。
【図面の簡単な説明】
【００３６】
【図１】容器密封システムを備える容器の例示の実施形態の分解斜視図である。
【図２】図１に示された容器の分解斜視図である。
【図３】首状部に形成された切欠部を有し、注ぎ口挿入体に形成され歯部を受けるように構成された容器の例示の実施形態の斜視図である。
【図４】切欠部に係合された注ぎ口挿入体に形成された歯部を備える、図３に示された切欠部の部分詳細図である。
【図５】注ぎ口挿入体及びカバーを備え、容器密封システムを有する容器の例示の実施形態の断面図である。
【図６】図５に示された容器密封システムの部分断面詳細図である。
【図７】第１の半径部を有する平らな部分と、第２の半径部を有する第２の部分とを備える挿入体を有し、指標となる歯部及び切欠部の組み合わせを備える容器密封システムを備える容器の例示の実施形態の分解斜視図である。
【図８】挿入体が、第１の半径部を有する第１の部分と、第２の半径部を有する第２の部分とを有し、第１の半径部分が第２の半径部分よりも大きい、容器用の挿入体の例示の実施形態の上面図である。
【図９】線９−９に沿った図８に示された挿入体の部分断面図である。
【図１０】挿入体の唇部の第１の部分を示す、線１０−１０に沿った図８に示された挿入体の部分断面図である。
【図１１】挿入体の唇部の第２の部分を示す、線１１−１１に沿った図８に示される挿入体の部分断面図である。
【図１】
2007509829.tif 000003
【図２】
2007509829.tif 000004
【図３】
2007509829.tif 000005
【図４】
2007509829.tif 000006
【図５】
2007509829.tif 000007
【図６】
2007509829.tif 000008
【図７】
2007509829.tif 000009
【図８】
2007509829.tif 000010
【図９】
2007509829.tif 000011
【図１０】
2007509829.tif 000012
【図１１】
2007509829.tif 000013
【国際調査報告】
2007509829.tif 000014
2007509829.tif 000015